(57)【要約】    【課題】  例えばＱＶＧＡ（３２０＊２４０ドット）のような表示ドット数の少ない表示部を備えた携帯電話機等の端末装置において、画面の端にスクロールバーを設けることなく、表示されていない部分を把握することができ、表示部の表示領域をより有効利用できる端末装置を提供する。    【解決手段】  画像を表示するに際し、表示部１２１の上端及び／又は下端の縁部に、当該上端より上側及び／又は下端より下側に、さらに表示されるべき画像部分が存在するか否かを示す画像範囲示唆領域１２１ａ及び１２１ｂを設ける。画像範囲示唆領域１２１ａ及び１２１ｂの面積、色彩等を変化させることで、表示されていない部分の画像のサイズ（「Ａ」、「Ｂ」部分のドット数）を把握することもできる。【選択図】          図４
2007264771.tif 000002
【特許請求の範囲】
【請求項１】
所定のドット数の画面を表示する表示部を備える端末装置において、
画像を表示するに際し、スクロールされる領域の上端部及び／又は下端部に、当該上端より上側及び／又は下端より下側にさらに表示されるべき画像部分が存在するか否かを示す画像範囲示唆領域を設けた
ことを特徴とする端末装置。
【請求項２】
所定のドット数の画面を表示する表示部を備える端末装置において、
画像を表示するに際し、スクロールされる領域の上端より上側及び／又は下端より下側に、前記上端より上側及び／又は下端より下側にさらに表示されるべき画像部分が存在するか否かを示す画像範囲示唆領域を設けた
ことを特徴とする端末装置。
【請求項３】
前記画像範囲示唆領域は、その縦方向の長さにより、前記上端より上側及び／又は下端より下側に、さらに表示されるべき部分として存在する画像の縦方向のドット数が示唆される形態で設けられる
ことを特徴とする請求項１又は２に記載の端末装置。
【請求項４】
前記画像範囲示唆領域は水平ライン状に設けられる
ことを特徴とする請求項１から３のいずれかに記載の端末装置。
【請求項５】
前記水平ライン状の画像範囲示唆領域において、当該水平ラインの太さにより、当該上端より上側及び／又は下端より下側に、さらに表示されるべき部分として存在する画像の縦方向のドット数が示唆される
ことを特徴とする請求項４に記載の端末装置。
【請求項６】
前記画像範囲示唆領域の色彩により、当該上端より上側及び／又は下端より下側に、さらに表示されるべき部分として存在する画像の縦方向のドット数が示唆される
ことを特徴とする請求項１から５のいずれかに記載の端末装置。
【発明の詳細な説明】
【技術分野】
【０００１】
本発明は、端末装置に関し、特に表示部のドットサイズが小さい端末装置に関する。
【背景技術】
【０００２】
パーソナルコンピュータ等にインストールされるブラウザ、ワードプロセッサ、表計算ソフトなどで、ホームページ、ワープロ原稿、ワークシートなどを画面に表示する際、一度に全内容を画面に表示することはできないことが多い。そのため、例えば左端部分にスクロールバーが表示され、現在表示されている部分が全内容の上下方向どのくらいの位置に当るかを認識することが可能となっている。
【特許文献１】特開２００１−５４４３
【発明の開示】
【発明が解決しようとする課題】
【０００３】
しかしながら、携帯電話機等のモバイル機器では表示部のドットサイズが小さく、例えばＱＶＧＡ（３２０＊２４０ドット）のような画面でスクロールバーを設けると、表示部に表示可能な情報量の減少を招来する。
【０００４】
本発明は係る問題点に鑑みてなされたものであって、表示部の表示領域をより有効利用することができる端末装置を提供することを目的としている。
【課題を解決するための手段】
【０００５】
上記の問題点を解決するために、本発明に係る第１の端末装置は、所定のドット数の画面を表示する表示部を備える端末装置において、画像を表示するに際し、スクロールされる領域の上端部及び／又は下端部に、当該上端より上側及び／又は下端より下側にさらに表示されるべき画像部分が存在するか否かを示す画像範囲示唆領域を設けたことを特徴としている。
【０００６】
また、本発明に係る第２の端末装置は、所定のドット数の画面を表示する表示部を備える端末装置において、画像を表示するに際し、スクロールされる領域の上端より上側及び／又は下端より下側に、前記上端より上側及び／又は下端より下側にさらに表示されるべき画像部分が存在するか否かを示す画像範囲示唆領域を設けたことを特徴としている。この第２の端末装置は、表示部の全面がスクロールの対象となるのではなく、スクロールされる領域の上端より上側及び／又は下端より下側に、例えば、機器の状態を示す図柄であるピクトや、キーの機能などを表示する領域が設けられている場合に特に有効である。
【０００７】
本発明の構成では、スクロールバーを表示しなくても、まだ表示されていない画像範囲の存在を把握することができるため、表示部の表示領域をより有効利用することができる。
【０００８】
前記画像範囲示唆領域は、その縦方向の長さにより、前記上端より上側及び／又は下端より下側に、さらに表示されるべき部分として存在する画像の縦方向のドット数が示唆される形態で設けられる構成とすることができる。
【０００９】
具体的には、前記画像範囲示唆領域は水平ライン状に設けられる構成とすることができる。ここで、前記水平ライン状の画像範囲示唆領域において、当該水平ラインの太さにより、当該上端より上側及び／又は下端より下側に、さらに表示されるべき部分として存在する画像の縦方向のドット数が示唆される構成とすることができる。この構成では、上下方向にどの程度の画像が残っているかを直感的に把握することができる。水平ライン状のラインの太さは、表示部の表示範囲を余りに侵食しない程度の太さであることが好ましい。
【００１０】
もっとも、画像範囲示唆領域の形態は水平ライン状に限定されず、前記上端より上側及び／又は下端より下側に、さらに表示されるべき部分として存在する画像の縦方向のドット数が示唆される形態であれば、任意の形状、配置が可能である。水平ライン状以外に、例えば円弧、矢印形、三角形、円形、楕円形、ひし形、その他種々考えられるところである。
【００１１】
なお、前記画像範囲示唆領域の色彩により、当該上端より上側及び／又は下端より下側に、さらに表示されるべき部分として存在する画像の縦方向のドット数が示唆される構成とすることができる。この構成は、どの程度の画像が残っているかにかかわらず、画像範囲示唆領域のサイズが変わらない点で好適である。もっとも、画像範囲示唆領域の縦方向の長さ、面積等のサイズと色彩とを併用することも可能である。
【発明の効果】
【００１２】
本発明に係る端末装置によると、スクロールバーを設ける必要がなく、表示部の表示領域をより有効に利用することができるという効果を奏する。
【発明を実施するための最良の形態】
【００１３】
以下、本発明の実施の形態について、本発明の適用対象である端末装置の一例として携帯電話機を用いる場合を例として、図面を参照しながら説明する。
（実施の形態１）
（１）携帯電話機の構成
図１は、本実施の形態における携帯電話機の構成（外観）の一例を示す図である。本実施の形態の携帯電話機１０は、携帯電話機本体１１に対してフリップ１２が開閉自在に設けられた折畳式の携帯電話機であって、同図１は、フリップ１２が開かれた状態の正面図である。
【００１４】
本体１１側には、通話の際に音声が入力されるマイク部１１２の他、携帯電話機１０を操作する各種操作キーが設けられている。同図の例では、電話番号等を入力する１から０までの数字及び「＊」及び「＃」を含むダイアルキー１１５、携帯電話機１０に対し電源投入を行う際に押下される電源キー１１５１、着信時、通話を開始する際に押下される通話キー１１５３、表示部１２１に表示された画像を上下方向にスクロールさせたり、選択された処理を確定させる場合等に押下される選択決定キー１１６、各々に、状況に応じて機能が割り当てられるソフトキー１１８１〜１１８４が設けられている。ソフトキー１１８１〜１１８４には、状況に応じて、例えば電話帳の一覧を表示する機能や、受信メールの一覧を表示する機能等を割り当てることができる。
【００１５】
フリップ１２の内面には液晶ディスプレイ等から成る表示部１２１、通話時に音声が出力されるスピーカ部１２２が設けられている。図２は、携帯電話機１０の内部構成の一例を示すブロック図である。携帯電話機１０は、ＣＰＵ２００、アンテナ２１０、送受信部２２０、表示制御部２３０、音声処理部２４０、メモリ３００を備えている。
【００１６】
ＣＰＵ２００は携帯電話機１０全体の制御を行う。通話の際にはマイク１１２から入力された音声が音声処理部２４０にてＡＤ変換され、送受信部２２０において通信方式に合致した処理がなされてアンテナ２１０から出力される。送受信部２２０での処理がなされてアンテナ２１０から出力されるのはデータ通信の場合も同様である。なお、本発明の内容が通信方式により限定されることはない。即ち、ＰＤＣ（パーソナル・デジタル・セルラー）、ＣＤＭＡ（符号分割多元接続）、ＰＨＳ（パーソナル・ハンディフォーン・システム）、その他、どのような方式の携帯電話機にも適用することができ、送受信部２２０は、通信方式に沿った処理を実行する。
【００１７】
アンテナ２１０を介して外部から電波を受信した場合には、送受信部２２０、音声処理部２３０を介してスピーカ１２２から音声が出力されたり、受信したデータが送受信部２２０を介してＣＰＵ２００へと入力され、ＣＰＵ２００で動作するアプリケーションによる処理を受けて、表示制御部２４０を介して表示部１２１に表示等される。音声、データの送受信については、周知の技術が用いられるので、本明細書での詳細な説明は省略する。
【００１８】
（２）表示部１２１への表示について
表示部１２１への表示は、ＣＰＵ２００による制御に基づいて表示制御部２３０を介して行う。表示される画像の例として、外部からデータ通信により取得した画像データ、メモリ３００に格納された電話帳、受信メール等の一覧データなどがある。ここで、本実施の形態の表示部１２１への表示制御について、より詳細に説明する。
【００１９】
図３は、本実施の形態においてＣＰＵ２００により実行される処理の一例について説明するためのブロック図である。ここでは、メモリ３００に格納されている電話帳データなどを表示部１２１に一覧表示するような場合を例として説明する。図４は、表示部１２１への表示形態について説明するための図である。
【００２０】
本実施の形態では、機能的に表示画像サイズ取得部２０１、残留画像サイズ算出部２０２、範囲示唆領域編集部２０３を備えている。表示画像サイズ取得部２０１は、取得された電話帳データや、表示条件設定などから、表示すべき画像全体の上下方向のサイズ（図４における「Ｓ」ドットの数）を取得する。残留画像サイズ算出部２０２は、表示画像サイズ取得部２０１により取得された表示画像のサイズと表示部１２１の表示サイズから、表示画像５００の全体の中で、表示部１２１に表示されていない部分の上下方向のドット数（図４における「Ａ」及び「Ｂ」、以下、上下方向それぞれの「残留画像サイズ」という。）を算出する。
【００２１】
範囲示唆領域編集部２０３は、算出された残留画像サイズに基づいて、実際に表示部１２１に表示される画面を編集する。具体的には、図４に示されるように、残留画像サイズの大きさを示唆する領域（画像範囲示唆領域）１２１ａ及び１２１ｂが、表示部１２１に表示されるように画面を編集する。画像範囲示唆領域は、表示部１２１の上端より上側（１２１ａ）、下端より下側（１２１ｂ）に、さらに表示されるべき画像部分が存在するか否かを示す領域である。同図４の例では、どの程度の画像が表示されずに残っているかを、水平ライン状のラインの太さで示している。
【００２２】
以上に説明したように、上記のような画像範囲示唆領域を設けることにより、スクロールバーを表示することなく、どの程度のサイズの画像が表示されずに残っているかを示すことができる。もっとも残留画像サイズが０若しくは０に近い場合、上下いずれか、あるいは両方において画像範囲示唆領域を設けないようにしてもよい。
【００２３】
（実施の形態２）
上記第１の実施の形態では、表示部１２１の全面がスクロールされる領域に該当する場合について説明したが、特に携帯電話機の場合、バッテリーの残量や電波強度等、機器の状態を示す図柄（ピクト）が表示される領域や、ソフトキー１１８１〜１１８４の機能を表示する領域を設け、それらの領域を除いた部分をスクロールさせることが多い。
【００２４】
図５は、このような場合の表示部１２１の様子の一例を示す図である。同図の例では、スクロール領域上端４１１と、スクロール領域下端４１２との間に表示される画像がスクロールの対象となる。即ち、上端４１１より上側には、バッテリーの残量を示すピクト４０１、電波強度を示すピクト４０２、現在時刻を示すピクト４０３が表示されており（ピクトの種類はこれらに限定されない。）、この例では、この領域はスクロールの領域外である。下端４１２より下側、即ち、ソフトキー１１８１（図１参照）に割り当てられた機能である「返信」を示すマーク４０４、ソフトキー１１８２（図１参照）に割り当てられた機能である「メニュー」を示すマーク４０５が表示されている領域も同様にスクロールの領域外である。
【００２５】
図６は、このような場合の表示部１２１への表示形態について説明するための図であり、第１の実施の形態の図４に相当するものである。本実施の形態では、残留画像サイズ算出部２０２は、表示画像サイズ取得部２０１により取得された表示画像のサイズと、スクロール領域上端４１１とスクロール領域下端４１２との間のサイズとから、表示画像５００の全体の中で、表示部１２１に表示されていない部分の上下方向のドット数（図６における「Ａ」及び「Ｂ」）を算出する。同図の例では、スクロール領域上端４１１より上側の非スクロール領域１２１ｃと、スクロール領域下端４１２より下側の非スクロール領域１２１ｄとは、特に加工せず、スクロールされる領域の上端部、下端部に画像範囲示唆領域１２１ａ及び１２１ｂを設けている。
【００２６】
もっとも、本実施の形態において、画像範囲示唆領域１２１ａ及び１２１ｂを設ける位置は、これに限定されない。例えば図７に示されるように、画像範囲示唆領域１２１ａ及び１２１ｂを、非スクロール領域１２１ｃ及び非スクロール領域１２１ｄにそれぞれ設けることも可能である。また、図８に示されるように、画像範囲示唆領域１２１ａ及び１２１ｂを、より表示部１２１の外周に近づけるような形態も可能であり、画像範囲示唆領域１２１ａ及び１２１ｂの、非スクロール領域１２１ｃ及び非スクロール領域１２１ｄ内における配置は任意である。
【００２７】
（変形例）
以上、本発明の実施の形態について説明したが、本発明の内容が上記実施の形態において説明された具体例によって限定されないことは勿論であり、例えば、以下のような変形例を実施することもできる。
【００２８】
（１）上記実施の形態では、画像範囲示唆領域を水平ライン状の形態で設けたが、これに限定されず、同様に認識可能である限り円弧（図９（ａ）参照）、矢印（図９（ｂ）参照）、三角形（図９（ｃ）参照）、その他の形状でもよい。画像範囲示唆領域の形状が水平ライン状、棒状等に限定されず、円形、楕円形、ひし形等、任意の形状が可能であることは第２の実施の形態も同様である。また、上記実施の形態では、残留画像サイズを水平ライン状のラインの太さで示したが、これに限定されず、色彩を変化させたり、太さ（縦方向の長さ）、あるいは領域の面積等のサイズ、色彩を併用することも可能である。色彩を変化させる場合、例えば虹の七色において、残留部分が多いほど赤色に近づけ、少ないほど紫色に近づけるといった方法が考えられるが、これに限定されないことは勿論である。
【００２９】
画像範囲示唆領域の面積及び色彩は、上記した「Ａ」及び「Ｂ」の比に応じて変化させることもできるが、「Ａ」及び「Ｂ」の絶対値に基づいて変化させることが、より好ましい。もっとも、表示画像５００の全体のサイズが大きい場合、特に色彩を用いること、若しくは色彩及び面積の併用が好適となる。
【００３０】
（２）上記各実施の形態では、図４及び図６における「Ａ」及び「Ｂ」の算出に際し、画像範囲示唆領域１２１ａ及び１２１ｂの幅の変化を特に考慮しない場合について説明したが、特に画像範囲示唆領域１２１ａ及び１２１ｂを水平ライン状とした場合、多少なりとも画像の表示領域を侵食することになるため、上記「Ａ」及び「Ｂ」の算出に際しては、画像範囲示唆領域１２１ａ及び１２１ｂの幅を考慮するようにしてもよい。
【００３１】
（３）上記実施の形態では、メモリ３００に記憶された電話帳のデータなどを一覧表示するような場合を例として説明したが、インターネット接続等で外部から受信した画像データを表示する場合も、バッファメモリに蓄積された表示画像データに対して同様の処理を行うことで本発明を適用することは可能である。また、上記実施の形態では、端末装置の例として携帯電話機に適用した場合について説明したが、携帯電話機に限定されるわけではない。
【産業上の利用可能性】
【００３２】
本発明は、例えば携帯電話機等の端末装置に適用することができる。
【図面の簡単な説明】
【００３３】
【図１】本発明の実施の形態における携帯電話機の外観の一例を示す図である。
【図２】携帯電話機１０の内部構成の一例を示すブロック図である。
【図３】ＣＰＵ２００により実行される処理の一例について説明するためのブロック図である。
【図４】表示部１２１への表示形態について説明するための図である。
【図５】表示部１２１の上下に非スクロール領域が設けられる場合の表示部１２１の様子の一例を示す図である。
【図６】第２の実施の形態における表示部１２１への表示形態について説明するための図である。
【図７】画像範囲示唆領域１２１ａ及び１２１ｂを、非スクロール領域１２１ｃ及び非スクロール領域１２１ｄにそれぞれ設ける場合の表示部１２１の様子の一例を示す図である。
【図８】画像範囲示唆領域１２１ａ及び１２１ｂを、非スクロール領域１２１ｃ及び非スクロール領域１２１ｄにそれぞれ設ける場合の表示部１２１の様子の他の一例を示す図である。
【図９】本発明の変形例における画像範囲示唆領域１２１ａ、１２１ｂの形態について説明するための図である。
【符号の説明】
【００３４】
１０                      携帯電話機
１１                      携帯電話機本体
１１６                    選択決定キー
１２                      フリップ
１２１                    表示部
１２１ａ、１２１ｂ        画像範囲示唆領域
１２１ｃ、１２１ｄ        非スクロール領域
２００                    ＣＰＵ
２０１                    表示画像サイズ取得部
２０２                    残留画像サイズ算出部
２０３                    範囲示唆領域編集部
２３０                    表示制御部
３００                    メモリ
４１１                    スクロール領域上端
４１２                    スクロール領域下端
５００                    表示画像
【図１】
2007264771.tif 000003
【図２】
2007264771.tif 000004
【図３】
2007264771.tif 000005
【図４】
2007264771.tif 000006
【図５】
2007264771.tif 000007
【図６】
2007264771.tif 000008
【図７】
2007264771.tif 000009
【図８】
2007264771.tif 000010
【図９】
2007264771.tif 000011